(57)【要約】【課題】離れた場所にいる位置不明のユーザに印刷物を渡すことが可能な印刷代行システム及び印刷代行サーバを提供する。【解決手段】印刷データとその印刷結果を渡したい受領側端末３を特定する受領側情報とを送信側端末２が印刷代行サーバ１に送信し、印刷代行サーバ１が受領側情報を位置情報サーバ４に示して受領側端末３の位置情報を取得する。そして、印刷代行サーバ１は得られた位置情報からその最寄りの印刷装置５を検索し、受領側端末３に検索結果を送信する。受領側端末３は、検索結果に含まれる印刷装置５に印刷を実行させるかどうかを決定して印刷代行サーバ１に送り、実行させる場合には印刷代行サーバ１が印刷装置５に印刷データを送信して印刷を実行させる。【選択図】図１
2007265168.tif 000002
【特許請求の範囲】
【請求項１】
印刷データを受信して印刷装置に送信する印刷代行サーバと、前記印刷データを印刷代行サーバに送信する送信側端末と、前記印刷データの印刷の実行を決定する受領側端末と、当該受領側端末の位置情報を管理する位置情報サーバと、前記印刷データを印刷する印刷装置とをネットワークを介して接続した印刷代行システムであって、
前記印刷代行サーバは、
前記送信側端末から印刷データを受信する印刷データ受信手段と、
当該印刷データ受信手段が受信した印刷データを記憶する印刷データ記憶手段と、
前記印刷データの印刷結果を受領する受領側端末を特定する情報である受領側情報を受信する受領側情報受信手段と、
当該受領側情報受信手段により受信した受領側情報を前記位置情報サーバに送信して、当該受領側情報を有する受領側端末の現在位置の位置情報を問い合わせる位置問い合わせ手段と、
当該位置問い合わせ手段による問い合わせに対応する前記受領側端末の位置情報を前記位置情報サーバから受信する位置情報受信手段と、
前記印刷装置の所在地を記憶した所在地記憶手段と、
前記位置情報受信手段が受信した位置情報に基づき、前記所在地記憶手段を検索して当該位置情報の近隣に存在する印刷装置を検索する検索手段と、
前記検索手段の検索結果を前記受領側端末に送信する検索結果送信手段と、
前記受領側端末から印刷を実行するか否かの決定結果を受信する決定結果受信手段と、
当該決定結果受信手段が印刷実行決定を受信した場合に、前記印刷データを前記印刷データ記憶手段から読み出して指定された印刷装置に送信するサーバ側印刷データ送信手段とを備え、
前記送信側端末は、
前記印刷データを前記印刷代行サーバに送信する端末側印刷データ送信手段と、
前記受領側情報を前記印刷代行サーバに送信する受領側情報送信手段とを備え、
前記受領側端末は、
前記印刷代行サーバから前記検索結果を受信する検索結果受信手段と、
当該検索結果受信手段が受信した検索結果に含まれる印刷装置に印刷を実行させるか否かを決定する印刷実行決定手段と、
当該印刷実行決定手段による決定結果を前記印刷代行サーバに送信する決定結果送信手段とを備えたことを特徴とする印刷代行システム。
【請求項２】
前記受領側端末は、
真正な受領側端末であることを認証するための認証情報を前記印刷代行サーバに送信する認証情報送信手段を備え、
前記印刷代行サーバは、
前記受領側端末から送信された前記認証情報を受信する認証情報受信手段と、
当該認証情報受信手段が受信した認証情報が真正か否かを判断する認証手段とを備え、
前記印刷データ送信手段は、前記認証手段により認証情報が真正であると判断された場合に前記印刷データを送信することを特徴とする請求項１に記載の印刷代行システム。
【請求項３】
前記印刷代行サーバは、
前記検索結果送信手段が検索結果を送信してから前記決定結果受信手段が印刷実行決定を受信するまでに所定時間が経過したか否かを判断する経過時間判断手段と、
前記経過時間判断手段により所定時間が経過したと判断された場合に、印刷を実行させる印刷装置を再検索するか否かを前記受領側端末に問い合わせる再検索問い合わせ手段と、
前記受領側端末から再検索するか否かの判断結果を受信する再検索判断結果受信手段とを備え、
前記位置問い合わせ手段は、前記再検索判断結果受信手段が、再検索する旨の判断結果を受信した場合に、前記受領側情報を前記位置情報サーバに送信して、当該受領側情報を有する受領側端末の現在位置の位置情報を再度問い合わせ、
前記位置情報受信手段は、前記位置問い合わせ手段の再度の問い合わせに対応する更新された位置情報を受信し、
前記検索手段は、当該更新された位置情報に基づいて印刷装置を検索し、
前記検索結果送信手段は、前記検索手段による新たな検索結果を前記受領側端末に送信し、
前記受領側端末は、
前記印刷代行サーバから印刷を実行させる印刷装置を再検索するか否かの問い合わせを受信する再検索問い合わせ受信手段と、
前記再検索問い合わせ受信手段が再検索の問い合わせを受信した場合に、印刷を実行する印刷装置を再検索するか否かを判断する再検索判断手段と、
当該再検索判断手段による判断結果を前記印刷代行サーバに送信する再検索判断結果送信手段とを備えた
ことを特徴とする請求項１又は２に記載の印刷代行システム。
【請求項４】
前記印刷代行サーバは、
前記印刷データ記憶手段に記憶された印刷データを、所定期間経過後に削除する印刷データ削除手段を備えたことを特徴とする請求項１乃至３のいずれかに記載の印刷代行システム。
【請求項５】
印刷データを送信してくる送信側端末と、前記印刷データの印刷の実行を決定する受領側端末と、当該受領側端末の位置情報を管理する位置情報サーバと、前記印刷データを印刷する印刷装置とにネットワークを介して接続した印刷代行サーバであって、
前記送信側端末から印刷データを受信する印刷データ受信手段と、
当該印刷データ受信手段が受信した印刷データを記憶する印刷データ記憶手段と、
前記印刷データの印刷結果を受領する受領側端末を特定する情報である受領側情報を受信する受領側情報受信手段と、
当該受領側情報受信手段により受信した受領側情報を前記位置情報サーバに送信して、当該受領側情報を有する受領側端末の現在位置の位置情報を問い合わせる位置問い合わせ手段と、
当該位置問い合わせ手段による問い合わせに対応する前記受領側端末の位置情報を前記位置情報サーバから受信する位置情報受信手段と、
前記印刷装置の所在地を記憶した所在地記憶手段と、
前記位置情報受信手段が受信した位置情報に基づき、前記所在地記憶手段を検索して当該位置情報の近隣に存在する印刷装置を検索する検索手段と、
前記検索手段の検索結果を前記受領側端末に送信する検索結果送信手段と、
前記受領側端末から印刷を実行するか否かの決定結果を受信する決定結果受信手段と、
当該決定結果受信手段が印刷実行決定を受信した場合に、前記印刷データを前記印刷データ記憶手段から読み出して指定された印刷装置に送信する印刷データ送信手段とを備えたことを特徴とする印刷代行サーバ。
【請求項６】
前記受領側端末から送信された、真正な受領側端末であることを認証するための認証情報を受信する認証情報受信手段と、
当該認証情報受信手段が受信した認証情報が真正か否かを判断する認証手段とを備え、
前記印刷データ送信手段は、前記認証手段により認証情報が真正であると判断された場合に前記印刷データを送信することを特徴とする請求項５に記載の印刷代行サーバ。
【請求項７】
前記検索結果送信手段が検索結果を送信してから前記決定結果受信手段が印刷実行決定を受信するまでに所定時間が経過したか否かを判断する経過時間判断手段と、
前記経過時間判断手段により所定時間が経過したと判断された場合に、印刷を実行させる印刷装置を再検索するか否かを前記受領側端末に問い合わせる再検索問い合わせ手段と、
前記受領側端末から再検索するか否かの判断結果を受信する再検索判断結果受信手段とを備え、
前記位置問い合わせ手段は、前記再検索判断結果受信手段が、再検索する旨の判断結果を受信した場合に、前記受領側情報を前記位置情報サーバに送信して、当該受領側情報を有する受領側端末の現在位置の位置情報を再度問い合わせ、
前記位置情報受信手段は、前記位置問い合わせ手段の再度の問い合わせに対応する更新された位置情報を受信し、
前記検索手段は、当該更新された位置情報に基づいて印刷装置を検索し、
前記検索結果送信手段は、前記検索手段による新たな検索結果を前記受領側端末に送信することを特徴とする請求項５又は６に記載の印刷代行サーバ。
【請求項８】
前記印刷データ記憶手段に記憶された印刷データを、所定期間経過後に削除する印刷データ削除手段を備えたことを特徴とする請求項５乃至７のいずれかに記載の印刷代行サーバ。
【発明の詳細な説明】
【技術分野】
【０００１】
本発明は、印刷代行システム及び印刷代行サーバに関し、特に、あるユーザからの印刷依頼を受け、他のユーザに印刷物を渡すための印刷代行システム及び印刷代行サーバに関するものである。
【背景技術】
【０００２】
一般に、モバイル機器等の印刷機能を持たない機器から印刷を実行したい場合、又は、高機能や特殊な印刷装置に印刷させたい場合、印刷データを外部のサーバに送信し、印刷装置を有する店舗等に出向いて印刷結果を受領できる印刷代行システムが知られている。このような印刷代行システムでは、外出先から印刷を実行したい場合にも、ＧＰＳ等の位置情報を用いてユーザが自らの位置をサーバに送信し、サーバが最寄りの店舗を検索して、ユーザに送信し、ユーザが選択した店舗に印刷データを送ると、その店舗で印刷結果を受領できるものが提案されている（例えば、特許文献１参照）。
【特許文献１】特開２００２−１３２４６２号公報
【発明の開示】
【発明が解決しようとする課題】
【０００３】
しかしながら、上記従来の印刷代行システムでは、ユーザ自身に近い印刷代行店舗を指定して印刷を実行することはできるが、ユーザの位置から離れたところ、特に現在位置が不明な他のユーザに印刷物を渡したい場合には適用できなかった。
【０００４】
本発明は上記問題を解決するためになされたものであり、離れた場所にいる位置不明のユーザに印刷物を渡すことが可能な印刷代行システム及び印刷代行サーバを提供することを目的とする。
【課題を解決するための手段】
【０００５】
上記目的を達成するために、本発明の請求項１に記載の印刷代行システムは、印刷データを受信して印刷装置に送信する印刷代行サーバと、前記印刷データを印刷代行サーバに送信する送信側端末と、前記印刷データの印刷の実行を決定する受領側端末と、当該受領側端末の位置情報を管理する位置情報サーバと、前記印刷データを印刷する印刷装置とをネットワークを介して接続した印刷代行システムであって、前記印刷代行サーバは、前記送信側端末から印刷データを受信する印刷データ受信手段と、当該印刷データ受信手段が受信した印刷データを記憶する印刷データ記憶手段と、前記印刷データの印刷結果を受領する受領側端末を特定する情報である受領側情報を受信する受領側情報受信手段と、当該受領側情報受信手段により受信した受領側情報を前記位置情報サーバに送信して、当該受領側情報を有する受領側端末の現在位置の位置情報を問い合わせる位置問い合わせ手段と、当該位置問い合わせ手段による問い合わせに対応する前記受領側端末の位置情報を前記位置情報サーバから受信する位置情報受信手段と、前記印刷装置の所在地を記憶した所在地記憶手段と、前記位置情報受信手段が受信した位置情報に基づき、前記所在地記憶手段を検索して当該位置情報の近隣に存在する印刷装置を検索する検索手段と、前記検索手段の検索結果を前記受領側端末に送信する検索結果送信手段と、前記受領側端末から印刷を実行するか否かの決定結果を受信する決定結果受信手段と、当該決定結果受信手段が印刷実行決定を受信した場合に、前記印刷データを前記印刷データ記憶手段から読み出して指定された印刷装置に送信するサーバ側印刷データ送信手段とを備え、前記送信側端末は、前記印刷データを前記印刷代行サーバに送信する端末側印刷データ送信手段と、前記受領側情報を前記印刷代行サーバに送信する受領側情報送信手段とを備え、前記受領側端末は、前記印刷代行サーバから前記検索結果を受信する検索結果受信手段と、当該検索結果受信手段が受信した検索結果に含まれる印刷装置に印刷を実行させるか否かを決定する印刷実行決定手段と、当該印刷実行決定手段による決定結果を前記印刷代行サーバに送信する決定結果送信手段とを備えたことを特徴とする。
【０００６】
また、本発明の請求項２に記載の印刷代行システムは、請求項１に記載の発明の構成に加え、前記受領側端末が、真正な受領側端末であることを認証するための認証情報を前記印刷代行サーバに送信する認証情報送信手段を備え、前記印刷代行サーバは、前記受領側端末から送信された前記認証情報を受信する認証情報受信手段と、当該認証情報受信手段が受信した認証情報が真正か否かを判断する認証手段とを備え、前記印刷データ送信手段は、前記認証手段により認証情報が真正であると判断された場合に前記印刷データを送信することを特徴とする。
【０００７】
また、本発明の請求項３に記載の印刷代行システムは、請求項１又は２に記載の発明の構成に加え、前記印刷代行サーバが、前記検索結果送信手段が検索結果を送信してから前記決定結果受信手段が印刷実行決定を受信するまでに所定時間が経過したか否かを判断する経過時間判断手段と、前記経過時間判断手段により所定時間が経過したと判断された場合に、印刷を実行させる印刷装置を再検索するか否かを前記受領側端末に問い合わせる再検索問い合わせ手段と、前記受領側端末から再検索するか否かの判断結果を受信する再検索判断結果受信手段とを備え、前記位置問い合わせ手段は、前記再検索判断結果受信手段が、再検索する旨の判断結果を受信した場合に、前記受領側情報を前記位置情報サーバに送信して、当該受領側情報を有する受領側端末の現在位置の位置情報を再度問い合わせ、前記位置情報受信手段は、前記位置問い合わせ手段の再度の問い合わせに対応する更新された位置情報を受信し、前記検索手段は、当該更新された位置情報に基づいて印刷装置を検索し、前記検索結果送信手段は、前記検索手段による新たな検索結果を前記受領側端末に送信し、前記受領側端末が、前記印刷代行サーバから印刷を実行させる印刷装置を再検索するか否かの問い合わせを受信する再検索問い合わせ受信手段と、前記再検索問い合わせ受信手段が再検索の問い合わせを受信した場合に、印刷を実行する印刷装置を再検索するか否かを判断する再検索判断手段と、当該再検索判断手段による判断結果を前記印刷代行サーバに送信する再検索判断結果送信手段とを備えたことを特徴とする。
【０００８】
また、本発明の請求項４に記載の印刷代行システムは、請求項１乃至３のいずれかに記載の発明の構成に加え、前記印刷代行サーバが、前記印刷データ記憶手段に記憶された印刷データを、所定期間経過後に削除する印刷データ削除手段を備えたことを特徴とする。
【０００９】
また、本発明の請求項５に記載の印刷代行サーバは、印刷データを送信してくる送信側端末と、前記印刷データの印刷の実行を決定する受領側端末と、当該受領側端末の位置情報を管理する位置情報サーバと、前記印刷データを印刷する印刷装置とにネットワークを介して接続した印刷代行サーバであって、前記送信側端末から印刷データを受信する印刷データ受信手段と、当該印刷データ受信手段が受信した印刷データを記憶する印刷データ記憶手段と、前記印刷データの印刷結果を受領する受領側端末を特定する情報である受領側情報を受信する受領側情報受信手段と、当該受領側情報受信手段により受信した受領側情報を前記位置情報サーバに送信して、当該受領側情報を有する受領側端末の現在位置の位置情報を問い合わせる位置問い合わせ手段と、当該位置問い合わせ手段による問い合わせに対応する前記受領側端末の位置情報を前記位置情報サーバから受信する位置情報受信手段と、前記印刷装置の所在地を記憶した所在地記憶手段と、前記位置情報受信手段が受信した位置情報に基づき、前記所在地記憶手段を検索して当該位置情報の近隣に存在する印刷装置を検索する検索手段と、前記検索手段の検索結果を前記受領側端末に送信する検索結果送信手段と、前記受領側端末から印刷を実行するか否かの決定結果を受信する決定結果受信手段と、当該決定結果受信手段が印刷実行決定を受信した場合に、前記印刷データを前記印刷データ記憶手段から読み出して指定された印刷装置に送信する印刷データ送信手段とを備えたことを特徴とする。
【００１０】
また、本発明の請求項６に記載の印刷代行サーバは、請求項５に記載の発明の構成に加え、前記受領側端末から送信された、真正な受領側端末であることを認証するための認証情報を受信する認証情報受信手段と、当該認証情報受信手段が受信した認証情報が真正か否かを判断する認証手段とを備え、前記印刷データ送信手段は、前記認証手段により認証情報が真正であると判断された場合に前記印刷データを送信することを特徴とする。
【００１１】
また、本発明の請求項７に記載の印刷代行サーバは、請求項５又は６に記載の発明の構成に加え、前記検索結果送信手段が検索結果を送信してから前記決定結果受信手段が印刷実行決定を受信するまでに所定時間が経過したか否かを判断する経過時間判断手段と、前記経過時間判断手段により所定時間が経過したと判断された場合に、印刷を実行させる印刷装置を再検索するか否かを前記受領側端末に問い合わせる再検索問い合わせ手段と、前記受領側端末から再検索するか否かの判断結果を受信する再検索判断結果受信手段とを備え、前記位置問い合わせ手段は、前記再検索判断結果受信手段が、再検索する旨の判断結果を受信した場合に、前記受領側情報を前記位置情報サーバに送信して、当該受領側情報を有する受領側端末の現在位置の位置情報を再度問い合わせ、前記位置情報受信手段は、前記位置問い合わせ手段の再度の問い合わせに対応する更新された位置情報を受信し、前記検索手段は、当該更新された位置情報に基づいて印刷装置を検索し、前記検索結果送信手段は、前記検索手段による新たな検索結果を前記受領側端末に送信することを特徴とする。
【００１２】
また、本発明の請求項８に記載の印刷代行サーバは、請求項５乃至７のいずれかに記載の発明の構成に加え、前記印刷データ記憶手段に記憶された印刷データを、所定期間経過後に削除する印刷データ削除手段を備えたことを特徴とする。
【発明の効果】
【００１３】
本発明の請求項１に記載の印刷代行システムは、印刷データとその印刷結果を渡したい受領側端末を特定する受領側情報とを送信側端末が印刷代行サーバに送信し、印刷代行サーバが受領側情報を位置情報サーバに示して受領側端末の位置情報を取得する。そして、印刷代行サーバは得られた位置情報からその最寄りの印刷装置を検索し、受領側端末に検索結果を送信する。受領側端末は、検索結果に含まれる印刷装置に印刷を実行させるかどうかを決定して印刷代行サーバに送り、実行させる場合には印刷代行サーバが印刷装置に印刷データを送信して印刷を実行させる。従って、印刷データの所有者である送信側端末から離れた場所に位置し、かつその位置が送信側端末には不明な受領側端末に印刷結果を渡したい場合に、その受領側端末の現在位置の近隣の印刷装置の情報を受領側端末に提供して印刷を実行させるかどうかを決定させることができる。このため、離れた場所にいる位置不明の相手方に迅速に印刷結果を渡すことができるほか、受領側が印刷を実行するか否かを決定するので、受領側の都合に合わせて印刷のタイミングや印刷場所を選択できる。
【００１４】
また、本発明の請求項２に記載の印刷代行システムは、請求項１に記載の発明の効果に加え、パスワード等の受領側端末を認証する情報を送信側端末から印刷代行サーバに送るので、受領側端末が印刷実行要求をしてきた場合にその認証情報を用いて認証を行うことができ、なりすましを防ぐことができる。従って、機密情報等の印刷にも利用することができる。
【００１５】
また、本発明の請求項３に記載の印刷代行システムは、請求項１又は２に記載の発明の効果に加え、受領側端末に最寄りの印刷装置についての検索結果が送られてから所定時間経過した場合には、受領側端末に印刷装置の所在地を再検索した方がよいかを問い合わせ、再検索要求があった場合には、再度受領側端末の位置情報を取得し、その新たに得られた位置情報に基づいた最寄りの印刷装置を再検索する。印刷実行指示がないままに所定時間が経過すると、受領側端末が移動している可能性があるが、再度位置情報を取得してその位置に合わせて印刷装置を検索すれば、移動先で印刷結果を受領したい場合にも対応することができる。
【００１６】
また、本発明の請求項４に記載の印刷代行システムは、請求項１乃至３のいずれかに記載の発明の効果に加え、印刷実行指示がなく所定期間が経過した場合には、印刷データを削除するようにしたので、何らかの理由で印刷が不要になった場合にも印刷代行サーバに負荷がかからないようにできる。
【００１７】
また、本発明の請求項５に記載の印刷代行サーバは、送信側端末から送られた印刷データとその印刷結果を渡したい受領側端末を特定する受領側情報とを受信して、その受領側情報を位置情報サーバに示して受領側端末の位置情報を取得する。そして、得られた位置情報からその最寄りの印刷装置を検索し、受領側端末に検索結果を送信する。さらに、受領側端末からの印刷実行指示を受けて印刷装置に印刷データを送信して印刷を実行させる。従って、印刷データの所有者である送信側端末から離れた場所に位置し、かつその位置が送信側端末には不明な受領側端末に印刷結果を渡したい場合に、その受領側端末の現在位置の近隣の印刷装置の情報を受領側端末に提供して印刷を実行させるかどうかを決定させることができる。このため、離れた場所にいる位置不明の相手方に迅速に印刷結果を渡すことができるほか、受領側が印刷を実行するか否かを決定するので、受領側の都合に合わせて印刷のタイミングや印刷場所を選択できる。
【００１８】
また、本発明の請求項６に記載の印刷代行サーバは、請求項５に記載の発明の効果に加え、パスワード等の受領側端末を認証する情報が送信側端末から印刷代行サーバに送られるるので、受領側端末が印刷実行要求をしてきた場合にその認証情報を用いて認証を行うことができ、なりすましを防ぐことができる。従って、機密情報等の印刷にも利用することができる。
【００１９】
また、本発明の請求項７に記載の印刷代行サーバは、請求項５又は６に記載の発明の効果に加え、受領側端末に最寄りの印刷装置についての検索結果が送られてから所定時間経過した場合には、受領側端末に印刷装置の所在地を再検索した方がよいかを問い合わせ、再検索要求があった場合には、再度受領側端末の位置情報を取得し、その新たに得られた位置情報に基づいた最寄りの印刷装置を再検索する。印刷実行指示がないままに所定時間が経過すると、受領側端末が移動している可能性があるが、再度位置情報を取得してその位置に合わせて印刷装置を検索すれば、移動先で印刷結果を受領したい場合にも対応することができる。
【００２０】
また、本発明の請求項８に記載の印刷代行サーバは、請求項５乃至７のいずれかに記載の発明の効果に加え、印刷実行指示がなく所定期間が経過した場合には、印刷データを削除するようにしたので、何らかの理由で印刷が不要になった場合にも負荷が過大にならないようにできる。
【発明を実施するための最良の形態】
【００２１】
以下、本発明にかかる印刷代行システムを具体化した実施の形態について図面を参照して説明する。まず、本実施形態の印刷代行システム１００の概略構成について、図１を参照して説明する。図１は、印刷代行システム１００の概略を説明する構成図である。
【００２２】
図１に示すように、印刷代行システム１００は、印刷代行サーバ１と、送信側端末２と、受領側端末３と、位置情報サーバ４と、印刷装置５とから構成されている。送信側端末２は、パソコン、ＰＤＡ、携帯電話機等から構成され、印刷データと印刷物を渡す相手先となる受領側端末３に関する情報（受領側情報）、例えば電話番号やメールアドレス等を有している。受領側端末３は、所有者が所持しつつ移動可能な携帯端末であり、基地局やＧＰＳ衛星（図示外）と常に交信し、それによって測位される自身の位置を位置情報サーバ４に送信する。印刷装置５は、各所のコンビニエンスストア等の店舗に設置され、印刷代行サーバ１から印刷データを受信して印刷を実行するものである。
【００２３】
印刷代行システム１００において、送信側端末２が受領側情報と印刷データとを印刷代行サーバ１に送信すると、印刷代行サーバ１は、受信した受領側情報を位置情報サーバ４に送り、その受領側情報に対応する受領側端末３の現在位置を問い合わせる。位置情報サーバ４では、受け取った受領側情報をもとに位置情報データベースを検索し、受領側端末３の位置情報を印刷代行サーバ１に送信する。印刷代行サーバ１では、受信した位置情報をもとに、印刷装置の所在地データベースを検索し、受領側端末３の現在位置の最寄りの印刷装置５の位置を受領側端末３に送信する。受領側端末３は、印刷装置５の位置を確認し、その印刷装置５の位置で印刷物を受領したい場合は印刷代行サーバ１に印刷要求を送信する。印刷要求を受けて、印刷代行サーバ１は、印刷装置５に印刷データを送信し、印刷装置５が印刷物５１を印刷する。そして、受領側端末３の所有者は、印刷装置５を所有する店舗に出向いて印刷物５１を受け取る。このように構成されているので、印刷物５１を受領したい受領側端末３が現在どこにいたとしても、また、その現在位置が印刷データの所有者である送信側端末２に不明であったとしても、問題なく印刷物５１が受領側端末３の所有者にわたることになる。
【００２４】
次に、印刷代行システム１００を構成する印刷代行サーバ１、送信側端末２、及び受領側端末３の機能的構成について図２乃至図４を参照して説明する。図２は、印刷代行サーバ１の機能ブロック図である。図３は、パソコンの場合の送信側端末２の機能ブロック図である。図４は、携帯電話機の場合の受領側端末３の機能ブロック図である。
【００２５】
まず、印刷代行サーバ１について、図２を参照して説明する。印刷代行サーバ１は、周知のコンピュータやワークステーションで構成されている。印刷代行サーバ１には、印刷代行サーバ１の制御を司るＣＰＵ１１が設けられている。ＣＰＵ１１には、ＣＰＵ１１が実行するＢＩＯＳ等を記憶したＲＯＭ１３と、データを一時的に記憶するＲＡＭ１２と、データの受け渡しの仲介を行うＩ／Ｏインタフェイス１７とが接続されている。Ｉ／Ｏインタフェイス１７には、ハードディスク装置１８が接続されている。
【００２６】
また、Ｉ／Ｏインタフェイス１７には、ビデオコントローラ１４と、キーコントローラ１５と、ＣＤ−ＲＯＭドライブ１６と、通信装置１９とが接続され、ビデオコントローラ１４にはディスプレイ２１が接続され、キーコントローラ１５にはキーボード２２が接続され、通信装置１９はインターネット等のネットワークに接続可能となっている。また、ＣＤ−ＲＯＭドライブ１６に装着されるＣＤ−ＲＯＭ２３には、印刷代行サーバ１の制御プログラムが記憶されており、導入時には、制御プログラムは、ＣＤ−ＲＯＭ２３から、ハードディスク装置１８にセットアップされてハードディスク装置１８のプログラム記憶エリア１８１に記憶されるようになっている。尚、通信装置１９が本発明の印刷データ受信手段、受領側情報受信手段、位置情報受信手段、決定結果受信手段、認証情報受信手段、再検索判断結果受信手段に相当する。
【００２７】
また、ハードディスク装置１８には、プログラム記憶エリア１８１と、所在地記憶エリア１８２と、印刷データ記憶エリア１８３と、図示外のその他の情報記憶エリアとが設けられている。プログラム記憶エリア１８１にはＣＰＵ１１で実行されるプログラムが記憶されている。所在地記憶エリア１８２には、印刷代行サーバ１にネットワークで接続された印刷装置５の住所、緯度と経度、周辺の地図情報とが対応づけられて所在地情報として記憶されている。印刷データ記憶エリア１８３には、送信側端末２から送られてくる印刷データが記憶される。尚、所在地記憶エリア１８２が本発明の所在地記憶手段に、印刷データ記憶エリア１８３が本発明の印刷データ記憶手段に相当する。
【００２８】
次に、送信側端末２について、図３を参照して説明する。ここでは、一般的なパソコンの場合の送信側端末２について説明する。携帯端末の場合も、通信機能を備え、印刷データや受領側情報を送信できれば送信側端末２として利用できる。
【００２９】
図３に示すように、送信側端末２には、送信側端末２の制御を司るＣＰＵ１１０が設けられ、ＣＰＵ１１０には、各種のデータを一時的に記憶するＲＡＭ１２０と、ＢＩＯＳ等を記憶したＲＯＭ１３０と、データの受け渡しの仲介を行うＩ／Ｏインタフェイス１７０とが接続されている。Ｉ／Ｏインタフェイス１７０には、プログラムや各種のデータを記憶するハードディスク装置１８０が接続されている。
【００３０】
また、Ｉ／Ｏインタフェイス１７０には、ビデオコントローラ１４０と、キーコントローラ１５０と、ＣＤ−ＲＯＭ２３０を挿入するＣＤ−ＲＯＭドライブ１６０と、通信装置１９０とが接続され、ビデオコントローラ１４０にはディスプレイ２１０が接続され、キーコントローラ１５０にはキーボード２２０が接続され、通信装置１９０はインターネット等のネットワークに接続可能となっている。送信側端末２は、ハードディスク装置１８０に受領側情報や印刷データを記憶しており、そこから必要に応じて読み出して通信装置１９０を介して印刷代行サーバ１に送信する。尚、通信装置１９０が本発明の端末側印刷データ送信手段、受領側情報送信手段に相当する。
【００３１】
次に、受領側端末３について、図４を参照して説明する。ここでは一般的な携帯電話機の場合の受領側端末３について説明する。受領側端末３は、持ち運びができればよく、ＰＤＡや電子手帳等の他の携帯端末や、ノート型パソコンであってもよい。
【００３２】
図４に示すように、受領側端末３には、受領側端末３全体の制御を行う制御部３００が設けられ、制御部３００には、ＣＰＵ３１０と、データを一時的に記憶するＲＡＭ３２０と、時計機能部３３０とが内蔵されている。また、制御部３００には、文字等を入力するキー入力部３８０と、表示画面３５０と、プログラムや各種データを記憶した不揮発メモリ３４０と、着信音を発生するメロディ発生器３６０が接続されている。メロディ発生器３６０には、メロディ発生器３６０で発生した着信音を発声するスピーカ３７０が接続されている。
【００３３】
さらに、受領側端末３には、マイク４６０からの音声信号の増幅及びスピーカ４５０から出力する音声の増幅等を行うアナログフロントエンド４４０と、アナログフロントエンド４４０で増幅された音声信号のデジタル信号化及びモデム部４２０から受け取ったデジタル信号をアナログフロントエンド４４０で増幅できるようにアナログ信号化する音声コーディック部４３０と、変復調を行うモデム部４２０と、アンテナ４００から受信した電波の増幅及び検波を行い、また、キャリア信号をモデム部４２０から受け取った信号により変調し、増幅する送受信部４１０が設けられている。尚、送受信部４１０が本発明の検索結果受信手段及び再検索問い合わせ受信手段に相当する。
【００３４】
受領側端末３は、アンテナ４００を介して基地局（図示外）と交信し、基地局の位置と電波の強さから自身の位置情報を測定して位置情報サーバ４に位置情報を登録する。また、印刷代行サーバ１からの問い合わせや通知を基地局からアンテナ４００を介して受信する。
【００３５】
次に、図５乃至図７を参照して、印刷代行システム１００を構成する印刷代行サーバ１、送信側端末２、受領側端末３の動作について順に説明する。図５は、印刷代行サーバ１の処理の流れを示すフローチャートである。図６は，送信側端末２の処理の流れを示すフローチャートである。図７は、受領側端末３の処理の流れを示すフローチャートである。
【００３６】
まず、図５を参照して印刷代行サーバ１で実行される処理について説明する。図５に示すように、処理が開始されると、まず、送信側端末２から受領側情報と印刷データを受信したか否かを判断する（Ｓ１０）。受信していない場合は（Ｓ１０：ＮＯ）、受信するまで待機し、繰り返しＳ１０の判断を実行する。ここで、送信側端末２は、印刷データと、その印刷データに基づいた印刷物５１を渡したい受領者が有する受領側端末３を特定できる受領側情報を、携帯電話の電話番号、携帯メールのメールアドレス、インターネットのメールアドレス等の形で送信してくる。また、印刷データの内容が秘密情報である場合等、他人が受領者になりすますことを防止するため、パスワードのような認証情報もあわせて送信するようにしてもよい。あらかじめ受領者には送信者から印刷物を渡したい旨の連絡をするのが通常と思われるので、認証情報を送信する場合は、その際に受領者に認証情報を連絡するようにしておくとよい。さらに、ここで、印刷データを印刷代行サーバ１に保存しておく有効期限を送信側端末２で定めて同時に送信するようにしてもよい。有効期限を設定し、有効期限切れの印刷データを削除することで、印刷が実行されずに印刷代行サーバ１に印刷データが残ってしまうことを避けることができる。
【００３７】
受領側情報と印刷データを受信した場合には（Ｓ１０：ＹＥＳ）、受信した受領側情報を位置情報サーバ４に送信し、対応する位置情報を返信するように求める（Ｓ２０）。位置情報サーバ４は、携帯電話やＰＨＳの基地局を介して各携帯端末の位置情報を登録した位置情報データベースを有しているので、そのデータベースを検索し、該当の受領側端末３の位置情報を送信してくる。
【００３８】
次に、位置情報サーバ４から位置情報を受信したか否かを判断する（Ｓ３０）。受領側端末３が基地局からの電波の届かない位置にいたり、電源が入っていなかったり等の理由で、位置情報サーバ４から位置情報が取得できなかった場合には（Ｓ３０：ＮＯ）、送信側端末２にその旨の現状を送信する（Ｓ１６０）。
【００３９】
位置情報を受信した場合には（Ｓ３０：ＹＥＳ）、その位置情報をキーにして、所在地情報記憶エリア１８２に記憶されている印刷装置５の所在地のデータベースを検索し、近隣に存在する印刷装置５を探す（Ｓ４０）。位置情報は通常緯度と経度で構成されているので、その緯度と経度から所定範囲内に存在する印刷装置５を検索する。そして、受領側端末３の現在位置に最寄りの印刷装置５が発見できたかどうかを判断する（Ｓ５０）。
【００４０】
最寄りの印刷装置が見つからなかった場合には（Ｓ５０：ＮＯ）、送信側端末２にその旨の現状を送信する（Ｓ１６０）。この場合に、送信側端末２に連絡するのではなく、受領側端末３に、現在地近くには印刷装置５が見あたらないが、さらに範囲を広げて印刷装置５を検索するかどうかを問い合わせるようにしてもよい。その場合に受領側端末３が選択できるよう、検索範囲の候補を提示するようにしてもよい。
【００４１】
最寄りの印刷装置５が見つかった場合には（Ｓ５０：ＹＥＳ）、その所在地を受領側端末３に送信する（Ｓ６０）。所在地は、住所や店舗名とともに地図データを添付するようにしてもよい。また、最寄りの印刷装置５は、１件でもよいし、複数件見つかった場合には、全てを送信して受領側端末３に印刷したい印刷装置５を選択させるようにしてもよい。
【００４２】
次に、Ｓ１０で送信側端末２から認証情報も併せて受信している場合には、印刷の指示を送信する際に合わせて認証情報も送信するように要求する認証要求を受領側端末３に送信する（Ｓ７０）。認証要求は、Ｓ６０で印刷装置５の所在地を送信する際に同時に送信してもよい。
【００４３】
次に、受領側端末３から印刷の要求を受信したか否かを判断する（Ｓ８０）。受領側端末３からの返信としては、印刷するかしないかの選択、併せて、印刷装置５の候補が複数ある場合の選択、さらに、認証要求がなされた場合の認証情報が考えられる。印刷しない旨の返信があった場合、または、所定時間が経過しても何の返信もない場合には（Ｓ８０：ＮＯ）、送信側端末２にその旨の現状を送信する（Ｓ１６０）。
【００４４】
印刷要求を受信した場合には（Ｓ８０：ＹＥＳ）、次に、認証情報をも受信したか否かを判断する（Ｓ９０）。認証情報を受信していない場合には（Ｓ９０：ＮＯ）、対象の印刷データが、認証情報とともに送信側端末２から送信されている要認証の印刷データであるか否かを判断する（Ｓ１００）。要認証の場合には（Ｓ１００：ＹＥＳ）、認証情報の送信忘れか不正な受領側端末３かであることが考えられるので、再度認証要求を送信する（Ｓ７０）。要認証の印刷データでない場合には（Ｓ１００：ＮＯ）、認証処理が不要であるから、そのままＳ１２０に進む。
【００４５】
認証情報を受信した場合には（Ｓ９０：ＹＥＳ）、その認証情報が真正なものか否かを判断する（Ｓ１１０）。認証情報及び認証処理では、周知の暗号・復号技術を適宜用いることができる。認証情報が真正でない場合は（Ｓ１１０：ＮＯ）、まちがった認証情報を受領側端末３が送信してきたか、不正な受領側端末３かであることが考えられるので、再度認証要求を送信する（Ｓ７０）。
【００４６】
真正な認証情報であった場合（Ｓ１１０：ＹＥＳ）、又は、要認証の印刷データでない場合には（Ｓ１００：ＮＯ）、次に、Ｓ６０で印刷装置５の所在地情報を受領側端末３に送信してから、Ｓ８０で印刷要求を受信するまでの間に所定時間が経過しているか否かを判断する（Ｓ１２０）。受領側端末３の保持者は、移動中であることも考えられるので、既に先に送信した印刷装置５の所在地から離れており、現在位置により近い他の印刷装置５が存在するかもしれない。そこで、所定時間を経過している場合には（Ｓ１２０：ＹＥＳ）、現在位置に基づいて再度近隣の印刷装置５の検索をしたほうがよいかどうかを受領側端末３に問い合わせる（Ｓ１３０）。そして、所定時間待機してから再検索の指示が送信されてきたか否かを判断する（Ｓ１４０）。再検索の指示があれば（Ｓ１４０：ＹＥＳ）、Ｓ２０に戻って、受領側端末３の現在の位置情報を位置情報サーバ４に問い合わせる。
【００４７】
再検索の指示がなかった場合（Ｓ１４０：ＮＯ）、又は、所在地情報の送信から印刷要求の受信までに所定時間が経過していなかった場合には（Ｓ１２０：ＮＯ）、印刷を実行する印刷装置５に印刷データを送信する（Ｓ１５０）。印刷データを受信した印刷装置５では、印刷を実行し、受領側端末３の保持者は、その印刷結果（印刷物５１）を印刷装置５のある店舗に出向いて受け取ることができる。
【００４８】
一方、受領側端末３の位置情報が得られなかった場合（Ｓ３０：ＮＯ）、最寄りの印刷装置５が発見されなかった場合（Ｓ５０：ＮＯ）、印刷要求がなされなかった場合（Ｓ８０：ＮＯ）には、送信側端末２にその旨を送信するが（Ｓ１６０）、次に、印刷データの有効期限を過ぎたか否かを判断する（Ｓ１７０）。先に述べたように、印刷データの有効期限は印刷データの送信時に送信側端末２が定めて送信してきてもよいし、印刷代行サーバ２で一律に決められたり選択できたりするようにしてもよい。
【００４９】
有効期限が過ぎていない場合には（Ｓ１７０：ＮＯ）、所定時間待機し（Ｓ１８０）、その後Ｓ２０に戻って、受領側端末３の現在の位置情報を位置情報サーバ４に問い合わせ、上記の処理を再度実行する。有効期限が過ぎている場合には（Ｓ１７０：ＹＥＳ）、何らかの理由で印刷データの印刷が不要になったとも考えられるし、印刷代行サーバ２の負荷が大きくなるので、印刷データを削除する（Ｓ１９０）。印刷データの削除の前に、送信側端末２や受領側端末３に通知をして、印刷を実行するか否かや印刷データを削除してもよいかどうかを選択させるようにしてもよい。印刷データの送信（Ｓ１５０）又は印刷データの削除（Ｓ１９０）によりこの印刷データに関する一連の処理は完了するので、Ｓ１０に戻って新しい印刷データが送信されてくるのを待つ。
【００５０】
次に、図６を参照して、送信側端末２で実行される処理について説明する。図６に示すように、送信側端末２で印刷代行処理が開始されると、まず、印刷物を渡したい受領側端末３の受領側情報を設定する（Ｓ２００）。既述のように、受領側情報は、携帯電話の電話番号、携帯メールのメールアドレス、インターネットのメールアドレス等により設定できる。
【００５１】
次に、印刷する対象の印刷データをハードディスク装置１８０や記録媒体から読み出す（Ｓ２１０）。そして、印刷対象物の印刷実行の際に認証を要求するか否かを判断する（Ｓ２２０）。認証を要求するか否かは、ディスプレイ２１０に選択肢を表示して使用者に入力を促し、その入力結果を受けて判断するようにすればよい。また、あらかじめ認証を要求するかしないかを設定するメニューを設けておいてもよい。認証を要求するようにすれば、秘密情報を含む印刷データであっても安心して印刷代行システム１００で印刷の実行をさせることができる。
【００５２】
認証を要求する場合には（Ｓ２２０：ＹＥＳ）、パスワード等の認証情報を設定する（Ｓ２３０）。認証情報は、パスワードの他、周知の各種暗号化技術を用いて設定することができる。
【００５３】
認証情報を設定後、又は、認証を要求しない場合は（Ｓ２２０：ＮＯ）、次に、印刷データに有効期限を設定するか否かを判断する（Ｓ２４０）。有効期限を設定する場合には（Ｓ２４０：ＹＥＳ）、使用者による有効期限の入力を受けてその期限を設定する（Ｓ２５０）。有効期限を設定しない場合には（Ｓ２４０：ＮＯ）、そのまま送信処理（Ｓ２６０）に進む。
【００５４】
以上により、印刷代行サーバ１に送信すべき情報が揃ったので、それらをまとめて印刷代行サーバ１に送信する（Ｓ２６０）。送信は、印刷代行サーバ１が用意するＷＥＢサイトにアップロードする、電子メールで送信する等の周知の技術を使用できる。以上で送信側端末処理が終了する。
【００５５】
次に、図７を参照して、受領側端末３の処理について説明する。受領側端末３では、基地局を介して何かデータを受信した場合に処理が開始される。まず、図７に示すように、印刷代行サーバ１から印刷装置５の所在地情報を受信したか否かを判断する（Ｓ３００）。既に述べたように、印刷代行サーバ１では、送信側端末２から印刷データが送信されてくると、同時に受信した受領側情報を位置情報サーバ４に送信し、位置情報サーバ４から得た受領側端末３の位置情報をもとに最寄りの印刷装置５を検索し、その結果を受領側端末３に送信してくる。
【００５６】
そこで、印刷装置５の所在地情報を受信した場合には（Ｓ３００：ＹＥＳ）、送られてきた地図データ上に記された印刷装置５の所在地を表示画面３５０に表示させる（Ｓ３１０）。そして、対象となる印刷データの印刷を要求するか否かを使用者に入力させ、その結果に基づき印刷要求の要否を判断する（Ｓ３２０）。提示された印刷装置５では印刷物を受け取るのに不都合であるとか、受け取りに行く暇が取れない等、種々の理由で使用者が印刷を要求しないと入力した場合や、所定時間経過しても特に要否の入力がなかった場合には、印刷要求は行わないと判断して（Ｓ３２０：ＮＯ）、そのまま処理を終了する。
【００５７】
印刷を要求する場合には（Ｓ３２０：ＹＥＳ）、次に、送られてきた所在地情報に複数の印刷装置５が含まれているか否かを判断する（Ｓ３３０）。複数の印刷装置５がある場合には（Ｓ３３０：ＹＥＳ）、どこの印刷装置５で印刷をさせたいかの選択を受け付ける（Ｓ３４０）。印刷装置５が１つだけの場合には（Ｓ３３０：ＮＯ）、そのままＳ３５０に進む。
【００５８】
次に、所在地情報とともに認証情報が要求されているか否かを判断する（Ｓ３５０）。認証を要求されている場合には（Ｓ３５０：ＹＥＳ）、あらかじめ送信側端末２から認証情報を連絡されていると思われるので、その認証情報を印刷要求とともに送信できるように設定する（Ｓ３６０）。認証情報が要求されていない場合には（Ｓ３５０：ＮＯ）、そのままＳ３７０に進む。
【００５９】
以上で印刷を要求するために必要な情報の設定が完了したので、設定された情報（印刷装置５の特定、認証情報）とともに印刷要求を印刷代行サーバ１に送信し（Ｓ３７０）、処理を終了する。
【００６０】
一方、受信したデータが印刷装置５の所在地情報でなかった場合には（Ｓ３００：ＮＯ）、次に、再検索の問い合わせを受信したか否かを判断する（Ｓ３８０）。既に述べたように、所在地情報を送信してから印刷要求を受信するまでに所定時間が経過すると、受領側端末３が移動していて指定された印刷装置５での印刷が不都合になる可能性があるので、印刷代行サーバ１が再度近隣の印刷装置５の検索をしたほうがよいかどうかを問い合わせてくる。このような再検索問い合わせを受信した場合には（Ｓ３８０：ＹＥＳ）、移動状況等に鑑みて再検索を要求するか否かを使用者に入力させ、その結果に基づいて再検索を要求するか否かを判断する（Ｓ３９０）。
【００６１】
再検索を要求する場合には（Ｓ３９０：ＹＥＳ）、再検索要求を印刷代行サーバ１に送信する（Ｓ４００）。再検索を要求しない場合には（Ｓ３９０：ＮＯ）、再検索不要の旨を印刷代行サーバ１に送信する（Ｓ４１０）。そして、処理を終了する。
【００６２】
尚、受信内容が印刷装置の所在地情報でも再検索問い合わせでもなかった場合には（Ｓ３００：ＮＯ，Ｓ３８０：ＮＯ）、本発明に関連のないその他のデータ受信であるので、ここでの処理は終了する。
【００６３】
次に、以上説明した印刷代行システム１００の処理の具体例を、図８を参照して説明する。図８は、印刷代行システム１００を構成する機器間の処理の連携図である。図８に示すように、まず、受領側端末３は、所定時間間隔で繰り返し基地局と交信し、その位置情報を位置情報サーバ４に登録している。送信側端末２は、受領側端末３に渡したい印刷データに認証情報と受領側情報を加えて印刷代行サーバ１に送信する。認証情報は、印刷代行サーバ１に送信する前後にあらかじめ受領側端末に知らせておく。
【００６４】
印刷データ、認証情報、受領側情報を受け取った印刷代行サーバ１は、印刷データを印刷データ記憶エリアに記憶し、受領側情報を位置情報サーバ４に送る。位置情報サーバ４では、受け取った受領側情報に対応する受領側端末３の位置情報を検索する。例えば、ここで位置情報が得られなかった場合には、位置情報なしを印刷代行サーバ１に送信する。印刷代行サーバ１では、その旨の現状報告を送信側端末２に対して送信する。
【００６５】
所定時間経過後、印刷代行サーバ１は、再度受領側情報を位置情報サーバ４に送る。位置情報サーバ４では、受け取った受領側情報に対応する受領側端末３の位置情報を検索する。今回は位置情報が得られたとすると、位置情報サーバ４はその位置情報を印刷代行サーバ１に送信する。印刷代行サーバ１では、その位置情報に基づいて印刷装置５の所在地データベースを検索し、最寄りの印刷装置を探す。例えば、近隣には印刷装置が見つからなかった場合には、その旨の現状報告を送信側端末２に対して送信する。
【００６６】
所定時間経過後、印刷代行サーバ１は、再度受領側情報を位置情報サーバ４に送る。位置情報サーバ４では、受け取った受領側情報に対応する受領側端末３の位置情報を検索する。例えば、前回とは異なる位置情報が得られたとする。位置情報サーバ４はその位置情報を印刷代行サーバ１に送信する。印刷代行サーバ１では、その位置情報に基づいて印刷装置５の所在地データベースを検索し、最寄りの印刷装置を探す。
【００６７】
すると、今回は最寄りの印刷装置がみつかったので、その所在地情報を受領側端末３に送信する。受領側端末３では、複数の候補がある場合には所望の印刷装置５を選択し、その選択情報と、予め送信側端末２から知らされている認証情報を添えて、印刷要求を印刷代行サーバ１に送信する。印刷代行サーバ１では、認証情報に基づいてその真正を判断し、真正だった場合には、選択された印刷装置５に対して印刷データを送信する。そして、印刷装置５で印刷データを印刷する。
【００６８】
以上説明したように、本実施形態の印刷代行システム１００によれば、印刷データと、その印刷結果を渡したい受領側端末３を特定する受領側情報とを送信側端末２が印刷代行サーバ１に送信し、印刷代行サーバ１が受領側情報を位置情報サーバ４に示して受領側端末３の位置情報を取得する。そして、印刷代行サーバ１は得られた位置情報からその最寄りの印刷装置５を検索し、受領側端末３に検索結果を送信する。受領側端末３は、検索結果に含まれる印刷装置５に印刷を実行させるかどうかを決定して印刷代行サーバ１に送り、実行させる場合には印刷代行サーバ１が印刷装置５に印刷データを送信して印刷を実行させる。従って、印刷データの所有者である送信側端末２から離れた場所に位置する受領側端末３に印刷結果を渡したい場合に、その受領側端末３の位置が送信側端末２には不明な場合であっても、受領側端末３の現在位置の近隣の印刷装置５の情報を受領側端末３に提供して印刷を実行させるかどうかを決定させることができる。このため、離れた場所にいる位置不明の相手方に迅速に印刷結果を渡すことができるほか、受領側が印刷を実行するか否かを決定するので、受領側の都合に合わせて印刷のタイミングや印刷場所を選択できる。さらに、認証情報をセットで送受信するようにすれば、秘密情報が含まれるような場合にも印刷代行システム１００を利用することができる。
【００６９】
尚、上記実施形態において、図５のＳ２０で受領側端末の位置情報を問い合わせるＣＰＵ１１が本発明の位置問い合わせ手段として機能する。図５のＳ４０で最寄りの印刷装置を検索するＣＰＵ１１が本発明の検索手段として機能する。図５のＳ６０で検索結果を送信するＣＰＵ１１が本発明の検索結果送信手段として機能する。図５のＳ１５０で印刷データを印刷装置に送信するＣＰＵ１１が本発明のサーバ側印刷データ送信手段として機能する。図５のＳ１１０で認証情報が真正か否かを判断するＣＰＵ１１が本発明の認証手段として機能する。図５のＳ１２０で所定時間経過を判断するＣＰＵ１１が本発明の経過時間判断手段として機能する。また、図７のＳ３２０で印刷要求をするか否かを判断するのＣＰＵ３１０が本発明の印刷実行決定手段として機能する。図７のＳ３７０で印刷要求を送信するＣＰＵ３１０が本発明の決定結果送信手段として機能する。図７のＳ３９０で再検索を要求するか否かを判断するＣＰＵ３１０が本発明の再検索判断手段として機能する。図７のＳ４００及びＳ４１０で再検索の要不要を送信するＣＰＵ３１０が本発明の再検索判断結果送信手段として機能する。
【図面の簡単な説明】
【００７０】
【図１】本発明の実施の形態における印刷代行システムの概略を説明する構成図である。
【図２】印刷代行サーバの機能ブロック図である。
【図３】パソコンの場合の送信側端末の機能ブロック図である。
【図４】携帯電話機の場合の受領側端末の機能ブロック図である。
【図５】印刷代行サーバの処理の流れを示すフローチャートである。
【図６】送信側端末の処理の流れを示すフローチャートである。
【図７】受領側端末の処理の流れを示すフローチャートである。
【図８】印刷代行システムを構成する機器間の処理の連携図である。
【符号の説明】
【００７１】
１      印刷代行サーバ
２      送信側端末
３      受領側端末
４      位置情報サーバ
５      印刷装置
１１      ＣＰＵ
１８      ハードディスク装置
１９      通信装置
１００      印刷代行システム
１８２      所在地記憶エリア
１８３      印刷データ記憶エリア
１９０      通信装置
４１０      送受信部
【図１】
2007265168.tif 000003
【図２】
2007265168.tif 000004
【図３】
2007265168.tif 000005
【図４】
2007265168.tif 000006
【図５】
2007265168.tif 000007
【図６】
2007265168.tif 000008
【図７】
2007265168.tif 000009
【図８】
2007265168.tif 000010